(57)【特許請求の範囲】
【請求項１】
情報媒体に連動したＷＥＢコンテンツを提供する情報提供システムであって、
ネットワークに接続可能なクライアント装置と、前記ネットワークを介して前記クライアント装置に接続可能なサーバ装置とを備え、
前記クライアント装置は、前記情報媒体を識別する第１の識別情報と、前記ＷＥＢコンテンツに関連した第２の識別情報と、を含むメディア情報を取得可能な情報取得手段と、前記メディア情報に基づいて前記サーバ装置に接続するとともに、前記メディア情報を前記サーバ装置に送信し、かつ前記ＷＥＢコンテンツを受信する通信手段を有し、
前記サーバ装置は、
前記第１の識別情報と、前記ＷＥＢコンテンツが表示され、かつ前記クライアント装置に提供される表示画面の画面情報及び前記ＷＥＢコンテンツの表示属性情報を含む属性情報と、が対応付けて記憶された第１のテーブルと、
前記第２の識別情報と、一以上の表示形態のＷＥＢコンテンツとが対応付けて記憶された第２のテーブルと、
前記クライアント装置から受信された前記第１の識別情報に基づいて、前記属性情報を前記第１のテーブルから抽出し、該抽出された属性情報と前記クライアント装置から受信された前記第２の識別情報とに基づいて、対応する表示態様のＷＥＢコンテンツを前記第２のテーブルから抽出する抽出手段と、
抽出された前記画面情報及びＷＥＢコンテンツとを用いて、前記クライアント装置に提供される前記表示画面を生成する表示画面生成手段と、を有すること
を特徴とする情報提供システム。
【請求項２】
前記第２のテーブルには、前記第２の識別情報と前記ＷＥＢコンテンツに関連したリンク情報とが対応付けて記憶され、
前記抽出手段は、前記第２の識別情報に対応するリンク情報を前記第２のテーブルから抽出し、
前記表示画面生成手段は、前記ＷＥＢコンテンツと前記リンク情報とを含む前記表示画面を生成することを特徴とする請求項１に記載の情報提供システム。
【請求項３】
前記画面情報は前記表示画面の画面レイアウトに関する情報であることを特徴とする請求項１又は２に記載の情報提供システム。
【請求項４】
前記画面レイアウトに関する情報は、前記クライアント装置が有するブラウザ機能毎に異なることを特徴とする請求項３に記載の情報提供システム。
【請求項５】
前記表示属性情報は前記ＷＥＢコンテンツの表示形態であり、前記表示形態は前記ＷＥＢコンテンツのフォント及び前記フォントの大小、前記ＷＥＢコンテンツの振り仮名表示、ひらがな表示及び英語表示の少なくとも１つを含むことを特徴とする特徴とする請求項１から４のいずれか１つに記載の情報提供システム。
【請求項６】
前記第２の識別情報は、複数の前記ＷＥＢコンテンツをグループ化したグループＩＤを含み、
前記抽出手段は、前記第１の識別情報及び前記グループＩＤに基づいて前記ＷＥＢコンテンツを抽出することを特徴とする１から５のいずれか１つに記載の情報提供システム。
【請求項７】
前記サーバ装置は、前記クライアント装置の前記通信手段を介して送信される前記クライアント装置において選択された選択情報を受信し、
受信した前記選択情報に基づいて前記ＷＥＢコンテンツに関連するＷＥＢ上のサイトと前記クライアント装置との接続を行う接続手段を有することを特徴とする請求項１から６のいずれか１つに記載の情報提供システム。
【請求項８】
前記サーバ装置は抽選処理を行う抽選手段を有し、前記接続手段は前記抽選処理の結果に応じて、前記クライアント装置と前記サイトとを接続することを特徴とする請求項７に記載の情報提供システム。
【請求項９】
前記サーバ装置は、受信した前記メディア情報に基づいて、前記情報媒体別に前記サーバへのアクセス数をカウントするカウンタ手段を有することを特徴とする請求項１から８のいずれか１つに記載の情報提供システム。
【請求項１０】
ネットワークを介してクライアント装置に接続可能で、かつ情報媒体と連動したＷＥＢコンテンツを前記クライアント装置に提供するサーバ装置であって、
前記クライアント装置から送信される、前記情報媒体を識別する第１の識別情報と、前記ＷＥＢコンテンツに関連した第２の識別情報と、を含むメディア情報を受信する受信手段と、
前記第１の識別情報と、前記ＷＥＢコンテンツが表示され、かつ前記クライアント装置に提供される表示画面の画面情報及び前記ＷＥＢコンテンツの表示属性情報を含む属性情報と、が対応付けて記憶された第１のテーブルと、
前記第２の識別情報と一以上の表示形態のＷＥＢコンテンツとが対応付けて記憶された第２のテーブルと、
前記クライアント装置から受信された前記第１の識別情報に基づいて、前記属性情報を前記第１のテーブルから抽出し、該抽出された属性情報と前記クライアント装置から受信された前記第２の識別情報とに基づいて、対応する表示態様のＷＥＢコンテンツを前記第２のテーブルから抽出する抽出手段と、
抽出された前記画面情報及びＷＥＢコンテンツとを用いて、前記クライアント装置に提供される前記表示画面を生成する表示画面生成手段と、を有すること
を特徴とするサーバ装置。
【請求項１１】
ネットワークを介してクライアント装置に接続可能なコンピュータ上で動作し、情報媒体に連動したＷＥＢコンテンツを前記クライアント装置に提供する情報提供プログラムであって、
前記コンピュータを、
前記クライアント装置から送信される、前記情報媒体を識別する第１の識別情報と、前記ＷＥＢコンテンツに関連した第２の識別情報と、を含むメディア情報を受信する受信手段、
前記第１の識別情報と、前記ＷＥＢコンテンツが表示され、かつ前記クライアント装置に提供される表示画面の画面情報及び前記ＷＥＢコンテンツの表示属性情報を含む属性情報と、を対応付けて記憶する第１の記憶領域、
前記第２の識別情報と、一以上の表示形態のＷＥＢコンテンツとを対応付けて記憶する第２の記憶領域、
前記クライアント装置から受信された前記第１の識別情報に基づいて、前記属性情報を前記第１の記憶領域から抽出し、該抽出された属性情報と前記クライアント装置から受信された前記第２の識別情報とに基づいて、対応する表示態様のＷＥＢコンテンツを前記第２の記憶領域から抽出する抽出手段、
抽出された前記画面情報及びＷＥＢコンテンツとを用いて、前記クライアント装置に提供される前記表示画面を生成する表示画面生成手段、
として機能させることを特徴とする情報提供プログラム。
【請求項１２】
ネットワークに接続可能なクライアント装置に前記ネットワークを介して接続可能なサーバ装置から情報媒体に連動したＷＥＢコンテンツを提供する情報提供方法であって、
前記クライアント装置から送信される、前記情報媒体を識別する第１の識別情報と、前記ＷＥＢコンテンツに関連した第２の識別情報と、を含むメディア情報を受信するステップと、
受信された前記第１の識別情報に基づいて、前記第１の識別情報と、前記ＷＥＢコンテンツが表示され、かつ前記クライアント装置に提供される表示画面の画面情報及び前記ＷＥＢコンテンツの表示属性情報を含む属性情報と、が対応付けて記憶されたテーブルから、前記画面情報及び前記属性情報を抽出するステップと、
該抽出された属性情報と前記クライアント装置から受信された前記第２の識別情報とに基づいて、前記第２の識別情報と一以上の表示形態のＷＥＢコンテンツとが対応付けて記憶されたテーブルから、対応する表示態様のＷＥＢコンテンツを抽出するステップと、
前記抽出された画面情報及びＷＥＢコンテンツとを用いて、前記クライアント装置に提供される前記表示画面を生成するステップと、
を有することを特徴とする情報提供方法。
【請求項１３】
ネットワークを介してクライアント装置に接続可能とされ、情報媒体に連動したＷＥＢコンテンツを提供する情報提供システムであって、
前記クライアント装置から送信される、前記情報媒体を識別する第１の識別情報と、前記ＷＥＢコンテンツに関連した第２の識別情報と、を含むメディア情報を受信する受信手段と、
前記第１の識別情報と、前記ＷＥＢコンテンツが表示され、かつ前記クライアント装置に提供される表示画面の画面情報及び前記ＷＥＢコンテンツの表示属性情報を含む属性情報と、が対応付けて記憶された第１のテーブルと、
前記第２の識別情報と、一以上の表示形態のＷＥＢコンテンツとが対応付けて記憶された第２のテーブルと、
前記クライアント装置から受信された前記第１の識別情報に基づいて、前記属性情報を前記第１のテーブルから抽出し、該抽出された属性情報と前記クライアント装置から受信された前記第２の識別情報とに基づいて、対応する表示態様のＷＥＢコンテンツを前記第２のテーブルから抽出する抽出手段と、
抽出された前記画面情報及びＷＥＢコンテンツとを用いて、前記クライアント装置に提供される前記表示画面を生成する表示画面生成手段と、を有すること
を特徴とする情報提供システム。
【発明の詳細な説明】
【技術分野】
【０００１】
本発明は、情報提供システムに係り、詳しくは、雑誌、書籍、テレビ映像等の情報媒体とＷＥＢ上で提供されるＷＥＢコンテンツとを連動させた情報提供システムに関する。
【背景技術】
【０００２】
近年、雑誌等の情報媒体（メディア）には、ＷＥＢ上のサイトにアクセスするためのＵＲＬ情報が組み込まれたＱＲコード（登録商標）等のコード情報が掲載され、ユーザはスキャン機能を有する携帯端末機器を用いてこのＵＲＬ情報を読み込むことによって、サイトにアクセスすることができる（特許文献１参照）。
【０００３】
このコード情報は、情報媒体に掲載された記事、広告等に関連して作成される。例えば、掲載された商品情報に関連した懸賞の応募サイト、該情報媒体に係る新着情報及びバックナンバー等を提供する各サイトのＵＲＬ情報が組み込まれる。このため、ユーザはＵＲＬ等の入力作業を必要としない容易なＷＥＢへのアクセスができ、ＷＥＢ上で掲載記事等に関連した情報を検索したり、商品購入したりすることができる。
【０００４】
このような情報媒体に掲載された情報とＷＥＢ上のコンテンツとを連動させた技術として、例えば特許文献２、３に記載のシステムが提案されている。
【０００５】
特許文献２のコンテンツ提供システムは、雑誌に雑誌ＩＤと記事ＩＤを掲載し、サイトにアクセスしたユーザがこの雑誌ＩＤ及び記事ＩＤを入力すると、該ＩＤに対応する分野の情報が検索され、データベースにユーザの興味をひいた記事を当該サイトのユーザ専用ページにて提供している。
【０００６】
また、特許文献３では新聞等の紙面とネットワークとを連動させる仲介サービスシステムが提案されている。この仲介サービスシステムでは、ＷＥＢサイト（サーバ）とのリンクが確立された後に、サーバ側から携帯電話端末にメニュー選択画面が送信される。そして、携帯電話端末のＣＣＤカメラで新聞等の紙面上のバーコードを読み取り、読み取ったバーコード情報をＷＥＢサイトに送信すると、サーバ側では読み取ったバーコードに対応する情報及びＤＢ等に格納されているＵＲＬを読み出してＷＥＢサイトに設けられたユーザ専用ページに表示している。
【０００７】
この特許文献３のバーコードには、新聞コード、発行日付、号数、頁数、記事番号が含まれており、これらの情報に基づいて上記のように対応する情報及びＵＲＬを読み出し、該ＵＲＬとバーコードが示す情報とを対応付けた表示画面を携帯電話端末に送信し、ユーザに表示している。
【特許文献１】特開２０００−２８５０５６号公報（段落００３１〜００３５、図６等）
【特許文献２】特開２００２−３５１９１１号公報（段落００５１〜００７１、図５等）
【特許文献３】特開２００４−２８０６２６号公報（段落０００９〜００２１、図３等）
【発明の開示】
【発明が解決しようとする課題】
【０００８】
一般に、雑誌、書籍等の情報媒体は情報媒体毎（若しくは情報媒体に掲載されるページ毎）に記事の専門性や対象とするユーザ（年齢層や性別等）が異なり、購入等するユーザの目的に適合させた情報が掲載されているケースが多い。言い換えれば、情報媒体毎にターゲットとするユーザ層が予め設定され、それに合わせたある程度の専門性を有する情報媒体が提供されている。
【０００９】
しかし、上記特許文献２、３では、ユーザが雑誌、書籍、新聞等の紙面に掲載されたコード情報を介してＷＥＢサイトにアクセスし、ＷＥＢ上からさらに情報を得ることができるので、ユーザ側の情報収集及び情報を提供する側の提供方法の利便性の向上が期待できるが、ＷＥＢ上で提供される情報が情報媒体別に異なるのではなく、単に掲載された記事コード等をキーにＷＥＢ上で提供される情報を検索（抽出）し、かつ対応するＵＲＬを専用ページでユーザに提供している。
【００１０】
つまり、例えば、同じコード情報が掲載された別々の情報媒体からＷＥＢ上にアクセスしてコンテンツが提供される場合であっても、情報媒体毎の異なる専門性や対象とするユーザとは無関係にコード情報をキーに関連する情報が抽出され、別々の情報媒体からアクセスしているにもかかわらず、同じ画面及び記事等がユーザに提供されることになる。
【００１１】
このため、情報媒体毎の記事の専門性、対象とするユーザとＷＥＢ上から提供されるコンテンツとがマッチした利用価値の高い情報提供が十分に行えず、情報媒体に付随してＷＥＢ上で提供される情報に対する付加価値の低下を招くことになる。
【００１２】
また、このように情報媒体毎に異なる記事の専門性や対象とするユーザとは関係なく、コード情報に基づく情報提供を行っている従来のシステムでは、ＷＥＢ上で提供される情報の表示態様がＷＥＢ上のサイトに応じて一意的に決められている。例えば、小学生が購入する雑誌Ａ及び高齢者が購入する雑誌Ｂに同じ記事に関するコード情報が掲載された場合、小学生及び高齢者はアクセスしたＷＥＢサイトにおいて同じ表示態様での情報提供を受ける。したがって、高齢者にとっては表示される文字が小さくて見え難く、小学生にとっては読めない漢字等が含まれるなどして、ユーザに好ましくない表示態様が生じる。
【００１３】
また、情報媒体は紙面等の掲載スペースが限られたものであるため、特許文献２のように雑誌コードと記事コードとを掲載する必要がある場合には、コード情報の掲載のための掲載スペースを確保する必要があり、スペース効率が低減してしまう課題を有している。
【００１４】
さらに、上記特許文献２、３のシステムでは、ＷＥＢ上のサイトにアクセスするユーザは会員登録行い、会員情報としてＤＢに記憶される。この会員情報を用いてアクセス認証やユーザに提供する情報の選別（絞り込み）などを行っている。
【００１５】
したがって、これらの会員の個人情報が外部に流出したり、改ざんされたりする恐れがあり、また、個人情報流出防止のためのセキュリティーシステムの導入及びサーバの負荷を考えると、ユーザデータベース等を備えることはシステムの危険性及びコスト等を増大させる要因となる。
【００１６】
また、会員登録を要するシステムは、会員登録する入力作業等が却ってユーザにとって煩わしく感じられ、特に、不特性多数のユーザが購入する情報媒体の性質上、サイトにアクセス及びコンテンツ提供を受けるのに登録が必要とされることは好ましくなく、
サイトへのアクセス数が低減してしまう可能性がある。
【００１７】
本発明の例示的な目的は、各情報媒体が有する異なる専門性や対象ユーザ応じ、付加価値の高いＷＥＢ上でのコンテンツ提供が可能な情報提供システムを提供することにある。
【課題を解決するための手段】
【００１８】
本発明の１つの観点としての情報提供システムは、情報媒体に連動したＷＥＢコンテンツを提供する情報提供システムであって、ネットワークに接続可能なクライアント装置と、ネットワークを介してクライアント装置に接続可能なサーバ装置とを備え、クライアント装置は、情報媒体を識別する第１の識別情報と、前記ＷＥＢコンテンツに関連した第２の識別情報と、を含むメディア情報を読み取り可能な読み取り手段と、メディア情報に基づいてサーバ装置に接続するとともに、メディア情報をサーバ装置に送信し、かつＷＥＢコンテンツを受信する通信手段を有する。
【００１９】
そして、サーバ装置は、第１の識別情報と、ＷＥＢコンテンツが表示され、かつクライアント装置に提供される表示画面の画面情報及びＷＥＢコンテンツの表示属性情報を含む属性情報と、が対応付けて記憶された第１のテーブルと、第２の識別情報と、一以上の表示形態のＷＥＢコンテンツとが対応付けて記憶された第２のテーブルと、クライアント装置から受信された第１の識別情報に基づいて、属性情報を第１のテーブルから抽出し、該抽出された属性情報とクライアント装置から受信された第２の識別情報とに基づいて、対応する表示態様のＷＥＢコンテンツを第２のテーブルから抽出する抽出手段と、抽出された画面情報及びＷＥＢコンテンツとを用いて、クライアント装置に提供される表示画面を生成する表示画面生成手段と、を有することを特徴とする。
【００２０】
また、本発明の他の観点としてのサーバ装置は、ネットワークを介してクライアント装置に接続可能で、かつ情報媒体と連動したＷＥＢコンテンツを前記クライアント装置に提供するサーバ装置であって、クライアント装置から送信される、情報媒体を識別する第１の識別情報と、ＷＥＢコンテンツに関連した第２の識別情報と、を含むメディア情報を受信する受信手段と、第１の識別情報と、ＷＥＢコンテンツが表示され、かつクライアント装置に提供される表示画面の画面情報及び前記ＷＥＢコンテンツの表示属性情報を含む属性情報と、が対応付けて記憶された第１のテーブルと、第２の識別情報と一以上の表示形態のＷＥＢコンテンツとが対応付けて記憶された第２のテーブルと、クライアント装置から受信された第１の識別情報に基づいて、属性情報を第１のテーブルから抽出し、該抽出された属性情報とクライアント装置から受信された第２の識別情報とに基づいて、対応する表示態様のＷＥＢコンテンツを第２のテーブルから抽出する抽出手段と、抽出された画面情報及びＷＥＢコンテンツとを用いて、クライアント装置に提供される表示画面を生成する表示画面生成手段と、を有する。
【００２１】
さらに、本発明の他の側面は、ネットワークに接続可能なクライアント装置に前記ネットワークを介して接続可能なサーバ装置から情報媒体に連動したＷＥＢコンテンツを提供する情報提供方法であって、クライアント装置から送信される、情報媒体を識別する第１の識別情報と、ＷＥＢコンテンツに関連した第２の識別情報と、を含むメディア情報を受信するステップと、受信された第１の識別情報に基づいて、第１の識別情報と、ＷＥＢコンテンツが表示され、かつクライアント装置に提供される表示画面の画面情報及びＷＥＢコンテンツの表示属性情報を含む属性情報と、が対応付けて記憶されたテーブルから、画面情報及び前記属性情報を抽出するステップと、該抽出された属性情報とクライアント装置から受信された第２の識別情報とに基づいて、第２の識別情報と一以上の表示形態のＷＥＢコンテンツとが対応付けて記憶されたテーブルから、対応する表示態様のＷＥＢコンテンツを抽出するステップと、抽出された画面情報及びＷＥＢコンテンツとを用いて、クライアント装置に提供される表示画面を生成するステップと、を有することを特徴とする。
【発明の効果】
【００２２】
本発明によれば、情報媒体を識別する識別ＩＤを用いて、情報媒体毎に重み付けが行われた表示画面をユーザに提供することができる。このため、ＷＥＢ上で提供されるコンテンツの利用価値が向上し、ユーザにとって付加価値の高い情報提供が可能となる。
【発明を実施するための最良の形態】
【００２３】
以下に本発明の実施例について説明する。
【実施例】
【００２４】
図１は、本発明の実施例における情報提供システムの構成ブロック図である。本実施例の情報提供システムは、インターネット等のネットワークＮを介した通信等が可能な機能を有する携帯端末機器、コンピュータ等のクライアント装置１００と、ネットワークＮを介してクライアント装置１００との通信が可能なサーバ装置２００とで構成され、情報媒体Ｍと連携したＷＥＢ上でのコンテンツ提供を行う情報提供システムである。また、ネットワークＮには、クライアント装置１００及びサーバ装置２００とリンクするＷＥＢ販売サイトＳ１や商品のメーカーサイトＳ２などのＥＣサイト、企業サイト等が含まれる。
【００２５】
本実施例における情報媒体Ｍは、雑誌、書籍、新聞の紙媒体、テレビ放送などの放送媒体、ＣＤ−ＲＯＭやＤＶＤなどの記録媒体が含まれ、出版社や放送局などからユーザに販売及び提供される媒体である。そして、この情報媒体Ｍには、該情報媒体Ｍ及び該情報媒体Ｍに掲載された記事等に連動したＷＥＢコンテンツ情報を提供するサーバ装置２００にアクセスするためのＵＲＬ情報等のメディア情報Ｃが組み込まれたＱＲコード（登録商標）、バーコード等が掲載されている。
【００２６】
次に図１から図４Ａを参照して、本実施例の情報提供システムの構成及び動作について説明する。
【００２７】
クライアント装置１００は、メディア情報Ｃを読み取るためのスキャン機能（メディア情報Ｃを取得することが可能な情報取得手段）を有しており、このメディア情報Ｃをクライアント装置１００で読み込むと（Ｓ１０１）、クライアント装置１００の表示画面にサーバ装置２００のＵＲＬ（サーバ装置２００が提供するＷＥＢ上のサイトに関するＵＲＬ）が表示され、ユーザはこのＵＲＬに基づいてサーバ装置２００にアクセスすることができる（図９の表示画面Ｄ１参照）。
【００２８】
具体的には、例えばＣＣＤカメラなどでメディア情報を撮影し、クライアント装置１００に予めインストールされたコード解析プログラム等が動作することにより、メディア情報Ｃ内に組み込まれたＵＲＬ情報を抽出し、表示する（Ｓ１０２）。そして、クライアント装置１００の通信部が抽出されたＵＲＬ情報に基づいてサーバ装置２００とのリンクを確立するとともに、メディア情報Ｃに含まれる他の情報をサーバ装置２００に送信する（Ｓ１０３）。
【００２９】
このメディア情報Ｃは図４Ａ（ａ）に示すように、情報媒体Ｍを識別するための識別コード（識別ＩＤ）とサーバ装置２００が提供するＷＥＢコンテンツ情報に関連したアイテムコード１、２から構成される。また、識別コードに付随した情報媒体Ｍの媒体コード１〜３が設けられ、例えば、情報媒体Ｍが雑誌であれば、媒体コード１に月刊誌、週刊誌、媒体コード２に情報媒体Ｍの号数、媒体コード３にコード情報が掲載された頁数に対応する情報としてメディア情報Ｃに組み込まれている。
【００３０】
サーバ装置２００は、情報媒体Ｍに連動したＷＥＢコンテンツ情報が記憶されたデータベース２０７、クライアント装置２００に提供するＷＥＢコンテンツ情報を含む表示画面を生成する表示画面作成部２０４、受信したメディア情報Ｃを解析して識別コード等の情報を抽出するデータ解析部であって、サーバ装置２００の制御を司るＣＰＵ２０３、ＣＰＵ２０３から出力された識別コード等に基づいてデータベース２０７からＷＥＢコンテンツ情報を抽出するためのフィルタリング処理を行うフィルタリング部２０５、後述する抽選処理を行う抽選部とから構成され、さらに、クライアント装置１００からのデータを受信する受信部２０１と該クライアント装置１００にデータを送信する送信部２０２を備えている。
【００３１】
そして、クライアント装置１００からのメディア情報Ｃを受信したサーバ装置２００では、メディア情報Ｃを解析するために受信部２０１からＣＰＵ２０３に出力される（Ｓ２０１）。ＣＰＵ２０３においてメディア情報Ｃが解析されると、情報媒体Ｍの識別コード、アイテムコード１、２等がフィルタリング部２０５に出力される。その後、フィルタリング部２０５にて識別コードに基づくフィルタリング処理（データ抽出処理）が行われる（Ｓ２０３）。
【００３２】
このフィルタリング部２０５では、識別コードをキーにデータベース２０７のメディアテーブル２０７２、画面レイアウトテーブル２０７９を参照して画面レイアウト情報（画面情報）を抽出するとともに、アイテムコード１、２をキーにデータベース２０７メディアテーブル２０７２、アイテムテーブル２０７８、グループテーブル２０７７、リンク先テーブル２０７６を参照して、サーバ装置２００が提供するＷＥＢコンテンツ情報を抽出する。さらに、フィルタリング部２０５では、識別コードに基づいて該ＷＥＢコンテンツの表示属性（表示形態）に関する情報をメディアテーブル２０７２から抽出する（Ｓ２０４からＳ２０６）。
【００３３】
表示画面生成部２０４では、フィルタリング部２０５により抽出された各種の情報からクライアント装置１００に提供される表示画面（表示画面データ、プログラム等）を生成する（Ｓ２０７）。そして、ＷＥＢコンテンツを含む表示画面がデータ送信部２０２を介してクライアント装置１００に送信され、クライアント装置１００の通信部ではこの表示画面データを受信して画面に表示する（Ｓ１０４）。
【００３４】
その後、ユーザはクライアント装置１００の表示画面に表示されたＷＥＢコンテンツ情報を閲覧（操作）し、リンク先情報等を任意に選択することができる（Ｓ１０５）。ユーザが任意に選択した情報、つまりリンク先情報は再びサーバ装置２００に送信され（Ｓ２０９）、抽選部２０６の抽選処理を経てサーバ装置２００のサイト接続部２０８が選択されたリンク先のサイトとの接続を開始する（Ｓ２１２）。クライアント装置１００では接続されたリンク先のサイトが表示される（Ｓ１０６）。
【００３５】
なお、本実施例のサーバ装置２００は、クライアント装置１００から送信されたメディア情報Ｃを受信した際に、当該メディア情報Ｃに含まれる情報媒体の識別コード、媒体コードに基づいたカウント処理を行うとともに（Ｓ２０２）、クライアント装置１００で選択された情報を受信した際にもカウント処理を行っている（Ｓ２０８）。
【００３６】
次に、図４Ａから図９に基づいて、本実施例の情報提供システムのサーバ装置２００における動作を詳細に説明する。
【００３７】
図５おいて、サーバ装置２００はクライアント装置１００から送信されるメディア情報Ｃを受信したか否かの判別を行い（Ｓ３０１）、メディア情報Ｃの受信が判別されると、受信部２０１からＣＰＵ２０３に該メディア情報Ｃが出力されて解析処理が行われる。つまり、ＣＰＵ２０３では、メディア情報Ｃを解析することにより、情報媒体Ｍの識別コード、媒体コード１〜３、アイテムコード１、アイテムコード２を抽出する（Ｓ３０２）。
【００３８】
その後、抽出された識別コードに基づいて情報媒体Ｍ毎のカウンタ処理が行われる（カウンタテーブル２０７１を更新・追加処理が行われる。Ｓ３０３）。次に、フィルタリング部２０５はアイテムコード１を参照して、アイテムコード１のコード属性が１つ（単独）のＷＥＢコンテンツに対応するものか、或いは複数のＷＥＢコンテンツに対応するものかを判別する。具体的にはアイテムコード１のコード属性がグループコードか否かを判別することにより行う（Ｓ３０４）。
【００３９】
アイテムコード１のコード属性がグループコードでない場合、フィルタリング部２０５は、識別コードをキーに画面レイアウトテーブル２０７７から画面レイアウト情報を抽出する。例えば、図４Ｄ（ａ）に示すように、識別コードから画面属性を抽出し、さらに抽出された画面属性に基づいて図４Ｄ（ｂ）に示すような詳細な画面レイアウト情報を抽出する（Ｓ３０５）。このとき、識別コードに付随する媒体コードを用いて、情報媒体Ｍの号数に対応する媒体コード２に関する画面属性を画面レイアウトテーブル２０７９に用意し、号数によって表示画面の枠の色などを変化させ、季節毎に異なる画面の色構成とするように、媒体コードを用いた情報抽出を行ってもよい。
【００４０】
さらにフィルタリング部２０５は、識別コードに基づいてサーバ装置２００が提供するＷＥＢコンテンツ情報の表示属性（表示形態）情報をメディアテーブル２０７２から抽出する（Ｓ３０６）。この表示属性は識別コード毎（情報媒体Ｍ毎）に「ひらがな表記」、「振り仮名表記」、「英語表記」などが予め決められてメディアテーブル２０７２に格納されており、各表記に対応した情報、つまり実際に「ひらがな」としての情報は後述するアイテムテーブル２０７８のＷＥＢコンテンツ情報に格納されている。また、この「ひらがな」表記以外にも文字のフォント及びフォントの大小等を表示属性情報として格納してもよい（図４Ａ（ｃ）参照）。
【００４１】
したがって、例えば、識別コードに対応する情報媒体Ｍが小学生向けの雑誌Ａである場合は、ＷＥＢコンテンツ情報の漢字に「振り仮名」処理を施すために表示属性情報に「振り仮名表記」とし、情報媒体Ｍが高齢者向けの雑誌Ｂである場合はＷＥＢコンテンツ情報のフォントを大きくする処理を施すために表示属性情報を「フォント大表記」としてメディアテーブル２０７２に格納する。また、媒体コードに対応した表示属性情報を該テーブルに格納することも可能であり、例えば、表示属性情報が通常表記の雑誌Ｃの特定ページでは、ひらがな表記にするなどのＷＥＢコンテンツ情報の表示属性を情報媒体Ｍの掲載情報等に応じて設定できる。
【００４２】
ＷＥＢコンテンツ情報は、アイテムコード２のコード情報に対応してアイテムテーブル２０７８に記憶されている。図４Ａ（ｂ）はアイテムテーブル２０７８に記憶されたＷＥＢコンテンツ情報の一例である。ＷＥＢコンテンツ情報はアイテムコード２毎に関連付けられて、商品の通常名称と、この通常名称のひらがな表記、振り仮名表記、英語表記等の表示情報と、該商品がどのコンテンツに分類されるのかの表すコンテンツ分類情報、商品の情報及び商品の販売を提供する提携先のリンク先情報が格納されている。
【００４３】
フィルタリング部２０５では、このアイテムテーブル２０７８からアイテムコード２に関連付けられたＷＥＢコンテンツ情報を抽出するとともに、このＷＥＢコンテンツ情報に含まれるリンク先情報に応じて、図４Ｂ（ａ）に示すリンク先テーブル（提携先テーブル）２０７６からリンク先情報を抽出する（Ｓ３０７）。
【００４４】
このようにフィルタリング部２０５によって抽出された画面レイアウト情報、表示属性情報、ＷＥＢコンテンツ情報及びリンク先情報は表示画面生成部２０４に出力され、情報媒体Ｍ（識別コード）毎に異なる表示画面が生成される（Ｓ３０８）。
【００４５】
例えば、表示画面生成部２０４は、メディアテーブル２０７２から抽出した表示属性情報が「振り仮名表記」である場合、アイテムテーブル２０７８から抽出されたＷＥＢコンテンツ情報の振り仮名表示データを用いて該ＷＥＢコンテンツ情報の全体、又は一部（商品の通常名称）に対して振り仮名処理を施し、さらに、図４Ｂ（ａ）の情報媒体別リンク先テーブル２０７６からＷＥＢコンテンツ情報のリンク先情報に対応するＵＲＬ情報を抽出する。そして、画面レイアウト情報に適合させて表示画面を生成する。
【００４６】
生成された表示画面は、送信部２０２からネットワークＮを介してクライアント装置１００に送信され（Ｓ３０９）、クライアント装置１００のディスプレイに表示される。図９はクライアント装置１００のディスプレイ状態を示した図であり、クライアント装置１００では、サーバ装置２００からの表示画面を受信すると、情報媒体Ｍに関連したＷＥＢコンテンツ情報が表示される（図９の表示画面Ｄ２又はＤ４参照）。
【００４７】
一方、図５のステップ３０４において、受信したメディア情報のアイテムコード１のコード属性がグループコードである場合は、ステップ３１０に進み、フィルタリング部２０５がグループテーブル２０７７を参照して、グループコードに関連付けされた複数のアイテムコード２を抽出する（Ｓ３１０）。
【００４８】
そして、上記ステップ３０５、３０６と同様に識別コードに基づいて画面レイアウト情報、表示属性情報を抽出する（Ｓ３１１、Ｓ３１２）。その後、ＷＥＢコンテンツ情報を抽出することになるが、グループコードに関連付けられたアイテムコード２が複数存在する場合は、各アイテムコード２に対してＷＥＢコンテンツ情報とリンク先情報の抽出を行い、こられの情報を用いて、表示画面を生成する（Ｓ３１３〜Ｓ３１５）。
【００４９】
このとき、グループコードに関連付けられたアイテムコード２が属するコンテンツが情報媒体Ｍに掲載された掲載情報に適合するものであるか否かを、メディアテーブル２０７２の情報媒体Ｍとコンテンツの関係を示すデータによって判別する（図４Ｂ（ｂ）参照）。具体的には、情報媒体Ｍ毎に、該情報媒体Ｍに掲載された専門性やユーザ層に適合するコンテンツ分類を格納しておき、アイテムコード２に対応するＷＥＢコンテンツ情報に含まれるコンテンツ分類情報が情報媒体Ｍに適合するものであるか否かを判別する。例えば、雑誌ＡがＰｌａｙＳｔａｔｉｏｎ２（登録商標）、雑誌ＢがＰｌａｙＳｔａｔｉｏｎ（登録商標）に関する情報記事を専門に掲載するものである場合、ＷＥＢコンテンツ情報のコンテンツ分類データに「ＰＳ２」、「ＰＳ」などを記憶しておき、情報媒体Ｍのコンテンツ分類が「ＰＳ２」を含んでいるか、「ＰＳ」を含んでいるかの判別を行い、情報媒体Ｍに適合しないＷＥＢコンテンツ情報を除外して、適合するＷＥＢコンテンツ情報のみを抽出する。
【００５０】
情報媒体Ｍに適合するＷＥＢコンテンツ情報を、情報媒体Ｍの専門性、ユーザ層に応じて選別する処理は、例えば雑誌Ｃが小学生向けのゲーム雑誌である場合、年齢制限（１８歳未満は閲覧禁止等の制限）のあるＷＥＢコンテンツ情報を除外するようにすることができ、情報の垂れ流しを未然に防ぐことができ、提供する情報のコントロールが可能となる。
【００５１】
次に、メディア情報Ｃに基づいて生成されたＷＥＢコンテンツ情報を含む表示画面がクライアント装置１００に提供されてからのサーバ装置２００側での処理ついて説明する。図７に示すように、クライアント装置１００では、提供されたＷＥＢコンテンツ情報（表示画面）が表示され、ユーザは任意にリンク先情報等を選択することができる。そして、ユーザがリンク先情報を選択すると、その選択情報がサーバ装置２００に送信される。
【００５２】
まず、サーバ装置２００では受信した選択情報を解析し（Ｓ３１７、Ｓ３１８）、ユーザがどのリンク先情報を選択したかを集計するために、選択されたリンク先情報をカウンタテーブル２０７１に記憶する（Ｓ３１９）。その後、受信したリンク先情報に対して抽選処理を行う。フィルタリング部２０５では、抽出されたリンク先情報に基づいて抽選管理テーブル２０７４を参照し（図８参照）、当該リンク先情報が抽選期間であるか否かを抽選管理テーブル２０７４の抽選期間情報から判別する（Ｓ３２０）。
【００５３】
抽選期間であれば、予め設けられた抽選処理プログラムを動作させることにより、一定の確率で当たり・はずれの抽選処理を行う（Ｓ３２１）。抽選処理の結果、「はずれ」の場合は（Ｓ３２２）、サイト接続部２０８によってユーザが選択したリンク先情報に対応するリンク先との接続処理が行われ（Ｓ３２６）、ネットワークＮを介したクライアント装置１００とＥＣサイト等のリンクを確立する。また、ステップ３２０において抽選期間外である場合はステップ３２６に進み、ステップ３２６の接続処理が行われる（図９の表示画面Ｄ３参照）。
【００５４】
一方、抽選処理の結果が「当たり」の場合は（Ｓ３２２）、当選した旨をユーザに知らせるために、画面レイアウトテーブル２０７９に予め格納された画面情報を抽出してクライアント装置１００に送信する（図９の表示画面Ｄ５参照）。クライアント装置１００に提供される表示画面は当選に伴うユーザ情報を登録するためのもので、この抽選処理においてユーザはユーザ登録を行う（図９の表示画面Ｄ６参照、Ｓ３２７）。そして、ユーザ側での登録処理の完了に伴って（Ｓ３２８）、ユーザが選択したリンク先との接続処理を行う（Ｓ３２６）。
【００５５】
なお、抽選処理の結果が「当たり」の場合は、ユーザが選択したリンク先情報とは異なる特別なＷＥＢサイトにリンクを確立させるようにすることもできる。例えば、当選者のみにプレミア商品情報、該商品等の優先販売・予約、ディスカウント情報などをユーザに提供するように構成することもできる。
【００５６】
この抽選処理ではステップ３２３、３２４において、「当たり」、「はずれ」の抽選結果を当たりテーブル２０７５Ａ、はずれテーブル２０７５Ｂのそれぞれに記憶し、同じクライアント装置１００からの抽選を制限するように構成している（クライアント装置の識別情報などを当たりテーブル２０７５Ａ、はずれテーブル２０７５Ｂに格納し、抽選処理時に判別する）。
【００５７】
このように本実施例では、情報媒体Ｍに掲載されたメディア情報Ｃに応じてサーバ装置２００からのＷＥＢコンテンツ情報をユーザに提供するに際し、メディア情報Ｃに組み込まれた情報媒体Ｍを識別する識別コードを用いることにより、情報媒体Ｍが提供する情報の専門性やユーザ層に好適なＷＥＢコンテンツ情報の提供を行うことができる。
【００５８】
つまり、ＷＥＢコンテンツ情報、リンク先情報を含む表示画面を、識別コードに応じて情報媒体Ｍ毎に異なる画面レイアウトを用いて生成することにより、情報媒体毎に提供される情報の専門性、ユーザ層等に鑑みた重み付けを行うことができ、ユーザにとって付加価値の高いＷＥＢコンテンツ情報の提供が受けられる。
【００５９】
さらに、識別コードを用いてＷＥＢコンテンツ情報の表示属性を判別し、ＷＥＢコンテンツ情報の漢字をふりがな表記にしたり、漢字をひらがな表記にしたりするので、単に雑誌等に掲載された情報に関連するＷＥＢコンテンツ情報を提供するのではなく、メディア購入者の年齢層、提供情報毎に重み付けのある付加価値の高いＷＥＢコンテンツ情報を提供できる。このため、ＷＥＢ上での商品購買機会及び意欲を向上させつつ、情報媒体自体の販売促進を向上させることができる。
【００６０】
また、本実施例ではメディア情報Ｃを構成するアイテムコード１のコード属性をグループコードとすることで、グループテーブル２０７７に関連する複数のアイテムコード２を抽出して、複数のＷＥＢコンテンツ情報を抽出することができる。具体的には、情報媒体Ｍのあるページに掲載された記事に関連付けられたＷＥＢコンテンツ情報の抽出（単独コード）、情報媒体Ｍのページそのものに関連付けられたＷＥＢコンテンツ情報の抽出を行うことができる（グループコード）。
【００６１】
このため、メディア情報Ｃに多くのアイテムコードを設けたり、掲載される記事毎に複数のメディア情報を設ける必要がないことから、メディア情報Ｃが組み込まれるＱＲコード（登録商標）、バーコード等の情報面積及びメディア情報Ｃの掲載面積を小さくすることができるので、情報媒体Ｍの掲載情報スペース効率を向上させることが可能となる。
【００６２】
また、従来はＷＥＢ上のサイトにアクセスする際に行われるユーザの会員登録をユーザ情報として、ＷＥＢコンテンツの選別やアクセス認証を行っていたが、本実施例では、情報媒体Ｍ毎に記事の専門性や対象とするユーザ（年齢層や性別等）が異なることに基づいて情報媒体Ｍを識別する識別コードを用いることにより、ＷＥＢ上で提供するＷＥＢコンテンツ情報の選別（フィルタリング及びコントロール）を行っている。
【００６３】
したがって、（事前の）ユーザ登録（会員登録）を行う必要がなく、情報媒体Ｍ毎の適切な情報のフィルタリング処理を行うことができる。また、ユーザ登録を行う必要がないため（ユーザＤＢ等を設ける必要がないため）、これらユーザの個人情報が外部に流出したり、改ざんされたりするなどのリスクを低減することできる。また、個人情報流出防止のためのセキュリティーシステムの導入等のリスク回避対策を行う必要もないため、コストが低くかつ安全な情報提供が実現できる。
【００６４】
また、情報媒体Ｍの識別コードを用いて情報のコントロールが可能な本実施例では、クライアント装置１００とＷＥＢ販売サイトとを接続する際に、例えば、小学生向けの雑誌である情報媒体からのアクセスの場合、ネット購入に際する注意事項等をメッセージとしてクライアント装置１００に表示したり、ネット購入を禁止するなどをユーザ登録なしに可能となり、情報媒体のユーザ層に対して適切な情報のコントロールを提供することが可能となる。そして、このような情報のフィルタリング処理及びコントロールは、ユーザ登録などの入力作業が必要なく、かつユーザ層に対して好適な情報提供ができることから、ユーザのサイトへのアクセスを容易にし、該サイトへのアクセス数増加に貢献できる。
【００６５】
また、サーバ装置２００では、メディア情報Ｃを受信した際に、該メディア情報Ｃに基づく情報媒体毎のカウント処理を行っているので、例えば、雑誌毎、特定の雑誌のページ毎などでサイトアクセス数を集計することで、ユーザが興味をもった情報媒体や掲載記事等を分析することも可能である。また、ユーザの選択情報として選択されたリンク先情報のカウント処理も行っているので、ＷＥＢコンテンツ情報に対してどのサイトをユーザが利用しているかなどの情報を得ることができる。
【００６６】
さらに、情報媒体Ｍ毎、この情報媒体Ｍの種別、号数及びページ数毎にカウント処理を行うとともに、情報媒体Ｍのあるページに掲載された記事情報と、該ページの記事掲載構成との関連についてカウント処理を行うことも可能である。
【００６７】
例えば、タテヨコ２分割ずつ均等に分けられ、計４枠（左上枠、右上枠、左下枠、右下枠）の情報掲載枠が設けられたページにおいて、各々異なる記事ａ〜ｄが各掲載枠に掲載されている場合、この掲載枠（掲載位置）に関する情報を、媒体コード３に対応した媒体コード４としてメディア情報Ｃに組み込む。
【００６８】
するとサーバ装置２００では、受信したメディア情報Ｃのカウンタ処理によって、情報媒体Ｍのあるページにおける掲載枠の情報もカウントされるので、ページ内のどの掲載枠のメディア情報Ｃをユーザが読み込んだのかを知ることができる。つまり、情報を掲載する位置に応じた「ユーザの関心度合い」を掲載記事（若しくは商品）毎に知ること、言い換えれば、掲載位置毎のユーザ（読者）がメディア情報Ｃをスキャンする確率を知ることができる。
【００６９】
このため、情報媒体Ｍを提供する側はこのカウント処理による情報を、ユーザの趣向（ユーザがメディア情報Ｃをスキャンする確率）に応じて掲載情報を構成したり、また、メディア情報Ｃの「位置」、「色」、「大きさ」や「その周辺の情報内容」をユーザの趣向に対して好適に構成するための情報として活用することが可能となる。
【００７０】
また、情報媒体がデジタル情報媒体の場合は、デジタル情報であるため検索機能に優れ、情報をランダムアクセスすることが容易にできる。このためデジタル情報媒体では、掲載位置にあまり関係なく特定対象（記事、商品等）だけをピンポイントで検索するケースの方が多い。これに対し、情報媒体Ｍが紙媒体である場合には、ユーザへの記事、商品等に対する魅力がページ内の掲載位置によって異なるケースが多いため、このような掲載位置に関する情報を活用することはユーザ及び情報媒体を提供する側に有効に作用する。
【００７１】
以上、実施例ではクライアント装置１００において読み込んだメディア情報Ｃに基づいて表示されたＵＲＬ情報を選択することによりサーバ装置２００とのリンクを確立するようにしているが、例えば、クライアント装置１００においてメディア情報Ｃを読み込み後に自動的にサーバ装置２００にアクセスさせ、サーバ装置２００から１つ又は複数のＵＲＬ情報をクライアント装置１００に送信し、ユーザがＵＲＬ情報を選択するように構成してもよい。このように構成することで、メディア情報Ｃの情報量を低減させ、メディア情報Ｃが組み込まれるＱＲコード（登録商標）、バーコード等のコード面積を小さくすることができる。このため、情報媒体Ｍの情報掲載スペースを有効に活用できる。
【００７２】
また、情報媒体Ｍに掲載されたバーコード等にメディア情報を組み込み、クライアント装置１００のスキャン機能により該メディア情報を読み込んでいるが、例えば、非接触型のＩＣチップ、Ｇコード（登録商標）などにメディア情報Ｃを組み込んで、クライアント装置１００に設けられたスキャン機能によりメディア情報Ｃを取得するようにしてもよい。また、電波や音声等を受信及び解析可能な情報取得手段を備えたクライアント装置であれば、該メディア情報Ｃを電波や音声等に組み込んだ場合であっても同様に適用可能である。
【００７３】
また、クライアント装置１００に提供する表示画面データを、クライアント装置１００毎に異なるブラウザ機能等を考慮して生成することもできる。具体的には、クライアント装置１００が携帯電話である場合、携帯電話会社毎、携帯電話製造メーカ毎にブラウザの仕様や性能が異なり、操作方法なども異なる場合が多い。そこで、図４Ｄ（ｃ）に示すように、クライアント装置１００のブラウザ機能に対応した画面情報を格納しておき、識別コードとクライアント装置１００が利用するブラウザ機能とに適した表示画面データを生成することで、クライアント装置１００（ブラウザ機能）毎に異なる文字・絵文字の種類等に対応した最適な表示画面データを生成（ＷＥＢコンテンツ情報の提供）することができる。また、クライアント装置１００が携帯電話である場合には画面サイズが小さいため、１画面の情報量を 複数ページに分けて出力するが、クライアント装置１００がＰＤＡである場合は、さらに多くの（詳しい）情報を表示することもできる。
【００７４】
また、クライアント装置１００には、ＷＥＢコンテンツ情報とともに、このＷＥＢコンテンツ情報に関連した商品等を販売するＷＥＢ販売サイトＳ１、メーカーサイトＳ２等のＥＣサイトへのリンク先情報が提供されるが、このリンク先情報はＥＣサイト以外にも着メロ（登録商標）サイトや待ち受け画面サイトを提供するようにしてもよい。
【図面の簡単な説明】
【００７５】
【図１】本発明の実施例に係る情報提供システムの概略構成ブロック図。
【図２】本発明の実施例に係る情報提供システムのデータベース構成図。
【図３】本発明の実施例に係る情報提供システムの処理遷移を示すフローチャート図。
【図４Ａ】本発明の実施例に係る情報提供システムにおけるデータの１例であり、（ａ）はメディア情報、（ｂ）はＷＥＢコンテンツ情報、（ｃ）は表示属性情報の詳細を示している。
【図４Ｂ】本発明の実施例に係る情報提供システムにおけるデータの１例であり、（ａ）はリンク情報、（ｂ）はＷＥＢコンテンツの属性情報である。
【図４Ｃ】本発明の実施例に係る情報提供システムにおけるグループコードの一例を示すデータテーブル図。
【図４Ｄ】本発明の実施例に係る情報提供システムにおける画面情報の一例を示すデータテーブル図であり、（ａ）は画面レイアウト、（ｂ）は画面レイアウトの詳細データである。
【図５】本発明の実施例に係る情報提供システムにおけるサーバ装置側の詳細な処理遷移を示すフローチャート図。
【図６】本発明の実施例に係る情報提供システムにおけるサーバ装置側の詳細な処理遷移を示すフローチャート図。
【図７】本発明の実施例に係る情報提供システムにおけるサーバ装置側の詳細な処理遷移を示すフローチャート図。
【図８】本発明の実施例に係る情報提供システムにおける抽選管理テーブルの１例を示す図。
【図９】本発明の実施例に係る情報提供システムにおけるクライアント装置の表示画面遷移図。
【符号の説明】
【００７６】
１００      クライアント装置
２００      サーバ装置
２０１      受信部
２０２      送信部
２０３      ＣＰＵ
２０４      表示画面生成部
２０５      フィルタリング部
２０６      抽選部
２０７      データベース
Ｍ          情報媒体
Ｎ          インターネット
Ｃ          メディア情報
【図１】
0004707479.tif 000002
【図２】
0004707479.tif 000003
【図３】
0004707479.tif 000004
【図４Ａ】
0004707479.tif 000005
【図４Ｂ】
0004707479.tif 000006
【図４Ｃ】
0004707479.tif 000007
【図４Ｄ】
0004707479.tif 000008
【図５】
0004707479.tif 000009
【図６】
0004707479.tif 000010
【図７】
0004707479.tif 000011
【図８】
0004707479.tif 000012
【図９】
0004707479.tif 000013